(57)【要約】【課題】１個の電動モータにてディスプレイ装置の昇降動作とチルト動作が可能であり、利用者の視点位置に応じて、より快適な位置と角度にディスプレイ装置を調整することができる乗物用シートを提供する。【解決手段】乗員が腰を下ろすシートクッション部と、乗員が背中を凭せ掛けるシートバック部と、ディスプレイ本体部５０と、電動モータ８０と、スライダ部７０と、を備え、ディスプレイ本体部５０は、シートバック部における乗員に対して反対側に設けられており、１個の電動モータ８０にて駆動されて上下に昇降するスライダ部７０の動作に応じて、上下に昇降する昇降動作をするとともに昇降動作による下方位置と上方位置のそれぞれの位置において傾斜角度が変わるチルト動作を行うように構成されている。【選択図】図２
2012250654.tif 000002
【特許請求の範囲】
【請求項１】
乗員が腰を下ろすシートクッション部と、
乗員が背中を凭せ掛けるシートバック部と、
ディスプレイ本体部と、
電動モータと、
スライダ部と、を備え、
前記ディスプレイ本体部は、
前記シートバック部における乗員に対して反対側に設けられており、
１個の前記電動モータにて駆動されて上下に昇降する前記スライダ部の動作に応じて、上下に昇降する昇降動作をするとともに前記昇降動作による下方位置と上方位置のそれぞれの位置において傾斜角度が変わるチルト動作を行うように構成されている、
乗物用シート。
【請求項２】
請求項１に記載の乗物用シートであって、
前記下方位置における前記ディスプレイ本体部の傾斜角度の範囲の方が、前記上方位置における前記ディスプレイ本体部の傾斜角度の範囲よりも大きくなるように構成されている、
乗物用シート。
【請求項３】
請求項１または２に記載の乗物用シートであって、
更に、前記ディスプレイ本体部を収容可能であって少なくとも前記ディスプレイ本体部の上面側と前記ディスプレイ本体部の画面側が開口した格納部を備え、
前記格納部は、前記シートバック部に固定されており、
前記ディスプレイ本体部の左右の側面において、上方には穴部が形成され、上方から下方に向けて前記下方位置における傾斜角度を決める下方傾斜用溝が形成され、当該下方傾斜用溝の下方には前記上方位置における傾斜角度を決める上方傾斜用溝が形成されており、
前記格納部の左右の側面の内側における上方には前記ディスプレイ本体部の側に付勢されて前記穴部または前記上方傾斜用溝に嵌合可能な格納側ピンが設けられており、
前記スライダ部は、前記ディスプレイ本体部の左右の側面と、前記格納部の左右の側面の内側と、の間にて上下に昇降可能であり、上方には前記下方傾斜用溝に沿って移動可能なスライダ側ピンが設けられており、
前記ディスプレイ本体部は、
前記スライダ部の昇降位置が最下端位置から第１高さまでの間では、前記格納側ピンと前記穴部にて傾斜可能に支持され、前記スライダ側ピンと前記下方傾斜用溝にて前記チルト動作を行い、
前記スライダ部の昇降位置が前記第１高さよりも高く、且つ最上端位置よりも低い第２高さまでの間では、前記スライダ部の昇降位置に応じて昇降し、
前記スライダ部の昇降位置が前記第２高さよりも高く、且つ最上端までの間では、前記スライダ側ピンと前記下方傾斜用溝の上端にて傾斜可能に支持されて昇降するとともに、前記格納側ピンと前記上方傾斜用溝にて前記チルト動作を行う、
乗物用シート。
【発明の詳細な説明】
【技術分野】
【０００１】
本発明は、背面にディスプレイ装置を備えた乗物用シートに関する。
【背景技術】
【０００２】
従来より、着座した乗員が背中を凭せ掛けるシートバック部の背面にディスプレイ装置を備えた種々の乗物用シートが開発されている。当該ディスプレイ装置は、当該ディスプレイ装置が設けられている乗物用シートの後部側の乗物用シートに着座している乗員が利用するためのものであり、利用者の視点位置等に応じて、上下に昇降したり所望する角度に傾斜したりすることが望ましい。
そこで、特許文献１に記載された従来技術には、１個の電動モータを用いて、ディスプレイ装置の昇降動作を可能にしているとともに、昇降時の最上端の位置において所定傾斜角度範囲内で傾斜（チルト動作）させることが可能な車両用シートの表示装置が開示されている。
【先行技術文献】
【特許文献】
【０００３】
【特許文献１】特開２０１０−２４１３３４号公報
【発明の概要】
【発明が解決しようとする課題】
【０００４】
ディスプレイ装置の利用者が大人等であって視点位置が高い場合は、特許文献１に記載されているようにディスプレイ装置を上昇させた最上端の位置で傾斜させることができると、利用者にとって快適な位置と角度に調整することができる。
しかし、ディスプレイ装置の利用者が子供等であって視点位置が低い場合では、ディスプレイ装置を下降させた位置で傾斜させることが望ましいが、特許文献１に記載された従来技術の構成では、ディスプレイ装置を上昇させた位置で傾斜可能にするとともにディスプレイ装置を下降させた位置でも傾斜させることは困難である。
本発明は、このような点に鑑みて創案されたものであり、１個の電動モータにてディスプレイ装置の昇降動作とチルト動作が可能であり、利用者の視点位置に応じて、より快適な位置と角度にディスプレイ装置を調整することができる乗物用シートを提供することを課題とする。
【課題を解決するための手段】
【０００５】
上記課題を解決するため、本発明に係る乗物用シートは次の手段をとる。
まず、本発明の第１の発明は、乗員が腰を下ろすシートクッション部と、乗員が背中を凭せ掛けるシートバック部と、ディスプレイ本体部と、電動モータと、スライダ部と、を備え、前記ディスプレイ本体部は、前記シートバック部における乗員に対して反対側に設けられており、１個の前記電動モータにて駆動されて上下に昇降する前記スライダ部の動作に応じて、上下に昇降する昇降動作をするとともに前記昇降動作による下方位置と上方位置のそれぞれの位置において傾斜角度が変わるチルト動作を行うように構成されている。
【０００６】
この第１の発明によれば、１個の電動モータにて昇降動作するスライダ部を用い、ディスプレイ装置の昇降動作が可能であるとともに、ディスプレイ装置を上昇させた位置と下降させた位置のそれぞれにおいて傾斜角度を変えることができる。
これにより、利用者の視点位置に応じて、より快適な位置と角度にディスプレイ装置を調整することができる。
【０００７】
次に、本発明の第２の発明は、上記第１の発明に係る乗物用シートであって、前記下方位置における前記ディスプレイ本体部の傾斜角度の範囲の方が、前記上方位置における前記ディスプレイ本体部の傾斜角度の範囲よりも大きくなるように構成されている。
【０００８】
この第２の発明によれば、利用者の視点位置に応じて、更に、快適な位置と角度にディスプレイ装置を調整することができる。
【０００９】
次に、本発明の第３の発明は、上記第１の発明または第２の発明に係る乗物用シートであって、更に、前記ディスプレイ本体部を収容可能であって少なくとも前記ディスプレイ本体部の上面側と前記ディスプレイ本体部の画面側が開口した格納部を備え、前記格納部は、前記シートバック部に保持されている。
そして、前記ディスプレイ本体部の左右の側面において、上方には穴部が形成され、上方から下方に向けて前記下方位置における傾斜角度を決める下方傾斜用溝が形成され、当該下方傾斜用溝の下方には前記上方位置における傾斜角度を決める上方傾斜用溝が形成されている。
また、前記格納部の左右の側面の内側における上方には前記ディスプレイ本体部の側に付勢されて前記穴部または前記上方傾斜用溝に嵌合可能な格納側ピンが設けられており、前記スライダ部は、前記ディスプレイ本体部の左右の側面と、前記格納部の左右の側面の内側と、の間にて上下に昇降可能であり、上方には前記下方傾斜用溝に沿って移動可能なスライダ側ピンが設けられている。
そして、前記ディスプレイ本体部は、前記スライダ部の昇降位置が最下端位置から第１高さまでの間では、前記格納側ピンと前記穴部にて傾斜可能に支持され、前記スライダ側ピンと前記下方傾斜用溝にて前記チルト動作を行い、前記スライダ部の昇降位置が前記第１高さよりも高く、且つ最上端位置よりも低い第２高さまでの間では、前記スライダ部の昇降位置に応じて昇降し、前記スライダ部の昇降位置が前記第２高さよりも高く、且つ最上端までの間では、前記スライダ側ピンと前記下方傾斜用溝の上端にて傾斜可能に支持されて昇降するとともに、前記格納側ピンと前記上方傾斜用溝にて前記チルト動作を行う。
【００１０】
この第３の発明によれば、ディスプレイ装置の昇降動作が可能であるとともに、ディスプレイ装置を上昇させた位置と下降させた位置のそれぞれにおいて傾斜角度を変える機構を適切に実現することができる。
【図面の簡単な説明】
【００１１】
【図１】本発明の乗物用シート１に搭載されるディスプレイ装置４０の位置と、昇降動作及びチルト動作の例を説明する図である。
【図２】ディスプレイ装置４０を構成するディスプレイ本体部５０、格納部６０、スライダ部材７０、電動モータ８０、のそれぞれの外観の例を説明する図である。
【図３】ディスプレイ本体部５０と格納部６０とスライダ部材７０と電動モータ８０とを組み付けた状態を説明する図である。
【図４】（Ａ）はスライダ部材７０の昇降位置が最下端位置である場合のディスプレイ装置４０の側面図を示しており、（Ｂ）は（Ａ）の位置におけるディスプレイ装置４０の正面図を示しており、（Ｃ）はスライダ部材７０の昇降位置が（Ａ）の位置からやや高い位置に上昇した場合のディスプレイ装置４０の側面図を示しており、（Ｄ）は（Ｃ）の位置におけるディスプレイ装置４０の正面図を示している。
【図５】（Ａ）はスライダ部材７０の昇降位置が図４（Ｃ）の位置よりもやや高い位置に上昇した場合のディスプレイ装置４０の側面図を示しており、（Ｂ）は（Ａ）の位置におけるディスプレイ装置４０の正面図を示しており、（Ｃ）はスライダ部材７０の昇降位置が（Ａ）の位置よりも更に高い位置に上昇した場合のディスプレイ装置４０の側面図を示しており、（Ｄ）は（Ｃ）の位置におけるディスプレイ装置４０の正面図を示している。
【図６】（Ａ）はスライダ部材７０の昇降位置が図５（Ｃ）の位置よりも更に高い位置に上昇した場合のディスプレイ装置４０の側面図を示しており、（Ｂ）は（Ａ）の位置におけるディスプレイ装置４０の正面図を示しており、（Ｃ）はスライダ部材７０の昇降位置が最上端位置である場合のディスプレイ装置４０の側面図を示しており、（Ｄ）は（Ｃ）の位置におけるディスプレイ装置４０の正面図を示している。
【図７】（Ａ）は切欠き部５４を設けたディスプレイ本体部５０と補助支持部６４を設けた格納部６０を示す斜視図であり、（Ｂ）は補助支持部６４がディスプレイ本体部５０を支持している状態を示す斜視図であり、（Ｃ）は上方位置で傾斜したディスプレイ本体部５０に補助支持部６４が干渉しない様子を示す斜視図である。
【図８】ディスプレイ装置の他の実施の形態の例を説明する図である。
【発明を実施するための形態】
【００１２】
以下に本発明を実施するための形態を図面を用いて説明する。図１は、本発明の乗物用シート１に搭載されるディスプレイ装置４０の位置と、昇降動作及びチルト動作の例を説明する図を示している。
【００１３】
●［ディスプレイ装置４０の搭載位置と、昇降動作及びチルト動作（図１）］
図１（Ａ）は本発明の乗物用シート１の側面図を示しており、図１（Ｂ）は当該乗物用シート１の背面図を示している。
乗物用シート１は、着座した乗員が腰を下ろすシートクッション部１０と、乗員が背中を凭せ掛けるシートバック部２０と、乗員が頭を凭せ掛けるヘッドレスト部３０とを備えている。
そしてシートバック部２０における背面の上方には、表示部が背面方向に向けられたディスプレイ装置４０が設けられている。当該ディスプレイ装置４０は、取り付けられた乗物用シート１の後方の乗物用シートに着座した乗員が視聴するためのものである。例えば車両の前部座席である乗物用シートにディスプレイ装置４０が設けられ、当該乗物用シートの後部座席に着座した乗員が、このディスプレイ装置４０を利用して種々の情報等を視聴することができる。
【００１４】
このディスプレイ装置４０を利用する乗員には、種々の乗員が想定される。例えば体格が大きな大人等が利用する場合もあれば、小柄な子供等が利用することが想定される。大人等が利用する場合の利用者の視点ＥＰは比較的高い位置であり、子供等が利用する場合の利用者の視点ＥＰは比較的低い位置である。
種々の利用者がディスプレイ装置４０を快適に利用できるようにするには、ディスプレイ装置４０の上下方向の位置を適切に調整可能であるとともに、ディスプレイ装置４０の傾斜角度を適切に調整可能であることが好ましい。更に、傾斜角度に関しては、視点ＥＰの位置が低い利用者のために下方の位置で傾斜角度が調整可能であるとともに、視点ＥＰの位置が高い利用者のために上方の位置で傾斜角度が調整可能であると、より好ましい。
【００１５】
そこで、図１（Ｃ）に示すように、本発明の乗物用シート１のディスプレイ装置４０は、ディスプレイ装置４０が下方位置である符号Ａ１の位置では、符号Ａ２に示すように傾斜角度範囲θ２の範囲で傾斜角度を調整可能である。また、ディスプレイ装置４０の位置を上昇させた上方位置である符号Ｂ１の位置では、符号Ｂ２に示すように傾斜角度範囲θ１の範囲で傾斜角度を調整可能である。なお、より適切な傾斜角度に調整できるように、傾斜角度範囲θ２のほうが、傾斜角度範囲θ１よりも大きくなるように設定されている。
これらの昇降動作とチルト動作（傾斜動作）を実現するためには、昇降用の電動モータと、チルト用の電動モータをそれぞれ備えれば容易に実現可能であるが、本実施の形態にて説明するディスプレイ装置４０では、１個の電動モータにて昇降動作とチルト動作を実現している。
【００１６】
●［ディスプレイ装置４０を構成する各部材の外観（図２）と、各部材の組み付け状態（図３）］
図２に示すように、ディスプレイ装置４０は、ディスプレイ本体部５０と、格納部６０と、スライダ部材７０と、１個の電動モータ８０にて構成されている。
ディスプレイ本体部５０は略箱型であり、左右の側面において、上方には穴部５１が形成されており、上方から下方に向けて下方位置における傾斜角度（傾斜角度範囲θ２）を決める下方傾斜用溝５２が形成されており、下方傾斜用溝５２の下方には上方位置における傾斜角度（傾斜角度範囲θ１）を決める上方傾斜用溝５３が形成されている。
格納部６０は、ディスプレイ本体部５０を収容可能であり、少なくとも上面と前面が開口した箱型であり、シートバック部２０に固定される。また、格納部６０の左右の側面における内側の上方には、収納されたディスプレイ本体部５０の側に弾性部材６３にて付勢された格納側ピン６１を備えた支持体６２が設けられている。
【００１７】
スライダ部材７０は、伸縮することなく湾曲可能な樹脂等にて形成されており、電動モータ８０との当接部では、電動モータ８０によって左右方向にスライドする。なおスライダ部材７０は、スライドレール７４に案内される湾曲方向にのみ湾曲可能である。また、スライダレール７４は、シートバック部２０に固定されており、電動モータ８０の側と上方が開口している。そして、スライダ部材７０は、スライダレール７４の電動モータの側から上方に向かう方向へと挿通されている。この構造により、電動モータ８０によるスライダ部材７０の左右方向のスライド量は、上下方向のスライド量に変換される。
また、スライダ部材７０における上端部の近傍のディスプレイ本体部５０の側には、スライダ側ピン７１が設けられている。また、スライダ側ピン７１の裏側には、押圧凸部７２と、逃げ溝７３が形成されている。
【００１８】
また図３は、ディスプレイ本体部５０と、格納部６０と、スライダ部材７０と、１個の電動モータ８０とを組み付けた状態のディスプレイ装置４０を示しており、上下に昇降するスライダ部材７０の昇降位置が最下端位置である場合の例を示している。
スライダ部材７０の昇降位置が最下端位置では、ディスプレイ本体部５０は格納部６０にすっぽりと収容されており、格納部６０に対してディスプレイ本体部５０は傾斜していない状態である。そして格納側ピン６１はディスプレイ本体部５０の穴部５１に嵌合しており、スライダ側ピン７１は下方傾斜用溝５２の下端に嵌合している。
以降、スライダ部材７０の昇降位置を、最下端位置から徐々に上昇させていった場合のディスプレイ装置４０の昇降状態及びチルト状態について説明する。
【００１９】
●［スライダ部材７０の昇降位置と、ディスプレイ装置４０の昇降状態及びチルト状態（図４〜図７）］
図４（Ａ）及び（Ｂ）は、スライダ部材７０の昇降位置（Ｌ１）が最下端位置の場合におけるディスプレイ装置４０の側面図（図４（Ａ））と正面図（図４（Ｂ））を示している。
この状態では、格納側ピン６１はディスプレイ本体部５０の穴部５１に嵌合しており、スライダ側ピン７１は下方傾斜用溝５２の下端に嵌合している。そして格納部６０に対してディスプレイ本体部５０は傾斜していない。
【００２０】
図４（Ｃ）及び（Ｄ）は、スライダ部材７０の昇降位置（Ｌ２）が、図４（Ａ）に示す昇降位置（Ｌ１）よりもやや高い位置に上昇した場合におけるディスプレイ装置４０の側面図（図４（Ｃ））と正面図（図４（Ｄ））を示している。
この状態では、格納側ピン６１はディスプレイ本体部５０の穴部５１に嵌合してディスプレイ本体部５０のチルト動作の支点（回転軸）となる。また、スライダ側ピン７１は下方傾斜用溝５２に沿って移動し、下方傾斜用溝５２の傾斜状態に応じてディスプレイ本体部５０を傾斜させる。
【００２１】
図５（Ａ）及び（Ｂ）は、スライダ部材７０の昇降位置（Ｌ３）が、図４（Ｃ）に示す昇降位置（Ｌ２）よりもやや高い位置に上昇した場合におけるディスプレイ装置４０の側面図（図５（Ａ））と正面図（図５（Ｂ））を示している。
この状態では、格納側ピン６１はディスプレイ本体部５０の穴部５１に嵌合しており、スライダ側ピン７１は下方傾斜用溝５２の上方におけるディスプレイ面と平行な部分に嵌合している。この位置では格納部６０に対してディスプレイ本体部５０は傾斜していない。
このように、図４（Ａ）及び（Ｂ）に示すスライダ部材７０の昇降位置（Ｌ１）から、図５（Ａ）及び（Ｂ）に示すスライダ部材７０の昇降位置（Ｌ３）までの間のスライダ部材７０の昇降では、スライダ部材７０の昇降によってディスプレイ本体部５０の昇降位置は変化せず、ディスプレイ本体部５０の傾斜角度が変化する。なお、スライダ部材７０の昇降位置（Ｌ３）は、「第１高さ」に相当する。
【００２２】
図５（Ａ）及び（Ｂ）に示すスライダ部材７０の昇降位置（Ｌ３）から更にスライダ部材７０を上昇させていくと、格納側ピン６１を備えた支持体６２はスライダ部材７０の押圧凸部７２によってディスプレイ本体部５０から離間する方向に押圧され、格納側ピン６１は穴部５１から抜けた状態となる。なお押圧凸部７２には、図２に示すように傾斜面７２Ａが形成されており、支持体６２を滑らかに押圧することができる。そしてスライダ側ピン７１は、下方傾斜用溝５２の上端に達し、格納部６０に対してディスプレイ本体部５０を上昇させる。
この状態が、図５（Ｃ）及び（Ｄ）に示す状態である。このとき、格納側ピン６１は、スライダ部材７０に形成された逃げ溝７３（図２参照）を通る。
【００２３】
図６（Ａ）及び（Ｂ）は、図５（Ｃ）及び（Ｄ）の状態から、更にスライダ部材７０を上昇させた状態におけるディスプレイ装置４０の側面図（図６（Ａ））と正面図（図６（Ｂ））を示している。
図６（Ａ）及び（Ｂ）に示すスライダ部材７０の昇降位置（Ｌ５）の状態では、スライダ側ピン７１は下方傾斜用溝５２の上端部に嵌合しており、格納側ピン６１を備えた支持体６２は、押圧凸部７２による押圧が解除されてディスプレイ本体部５０の側に移動する。格納側ピン６１が移動した先には、上方傾斜用溝５３が位置しており、格納側ピン６１は上方傾斜用溝５３の上端部に嵌合する。このとき、格納部６０に対してディスプレイ本体部５０は傾斜していない。なお図２に示すように、スライダ部材７０にはスライダ切欠き部７５が形成されており、格納側ピン６１とスライダ部材７０は干渉しない。
このように、図５（Ａ）及び（Ｂ）に示すスライダ部材７０の昇降位置（Ｌ３）から、図６（Ａ）及び（Ｂ）に示すスライダ部材７０の昇降位置（Ｌ５）までの間のスライダ部材７０の昇降では、スライダ部材７０の昇降によってディスプレイ本体部５０の昇降位置が変化し、ディスプレイ本体部５０の傾斜角度は変化しない。なお、スライダ部材７０の昇降位置（Ｌ５）は、最上端位置よりも低い「第２高さ」に相当する。
【００２４】
図６（Ｃ）及び（Ｄ）は、図６（Ａ）及び（Ｂ）の状態から、更にスライダ部材７０を上昇させた状態におけるディスプレイ装置４０の側面図（図６（Ｃ））と正面図（図６（Ｄ））を示している。
図６（Ｃ）及び（Ｄ）に示すスライダ部材７０の昇降位置（Ｌ６）の状態では、スライダ側ピン７１は下方傾斜用溝５２の上端に嵌合しており、ディスプレイ本体部５０のチルト動作の支点（回転軸）となる。また、格納側ピン６１は上方傾斜用溝５３に沿って移動し、上方傾斜用溝５３の傾斜状態に応じてディスプレイ本体部５０を傾斜させる。
このように、図６（Ａ）及び（Ｂ）に示すスライダ部材７０の昇降位置（Ｌ５）から、図６（Ｃ）及び（Ｄ）に示すスライダ部材７０の昇降位置（Ｌ６）までの間のスライダ部材７０の昇降では、スライダ部材７０の昇降によってディスプレイ本体部５０の昇降位置が変化し、更にディスプレイ本体部５０の傾斜角度も変化する。なお、スライダ部材７０の昇降位置（Ｌ６）は、「最上端位置」に相当する。
【００２５】
なお上記の説明において、図５（Ｃ）及び（Ｄ）に示すスライダ部材７０の昇降位置（Ｌ４）では、格納側ピン６１がディスプレイ本体部５０の穴部５１にも上方傾斜用溝５３にも嵌合しておらず、スライダ側ピン７１のみにてディスプレイ本体部５０が支持されているので、ディスプレイ本体部５０がスライダ側ピン７１を回転軸として不安定に揺動する可能性がある。
そこで、図７（Ａ）に示すように、ディスプレイ本体部５０に切欠き部５４を形成し、格納部６０に補助支持部６４を設ける。補助支持部６４は、ディスプレイ本体部５０が下方位置でチルト動作する際（図４（Ｃ）参照）、ディスプレイ本体部５０と干渉しない格納部６０の上方に設けられている。なお図７（Ａ）〜（Ｃ）では、スライダ部材７０等の記載を省略している。
また切欠き部５４は、図７（Ｃ）に示すように、ディスプレイ本体部５０が上方位置でチルト動作する際（図６（Ｃ）参照）、補助支持部６４と干渉しないようにディスプレイ本体部５０に形成されている。
これらの切欠き部５４、補助支持部６４によって、図５（Ｃ）及び（Ｄ）に示すスライダ部材７０の昇降位置（Ｌ４）において、スライダ側ピン７１のみにてディスプレイ本体部５０が支持されている状態であっても、図７（Ｂ）に示すようにディスプレイ本体部５０の揺動を補助支持部６４にて防止することができる。
【００２６】
なお、図８（Ａ）及び（Ｂ）に、他の実施の形態の例を示す。図８（Ａ）はディスプレイ装置の主な構成要素であるスライダ部材７０Ａ、ディスプレイ本体部５０Ａ、案内部材６４Ａの斜視図を示している。また図８（Ｂ）は、図８（Ａ）に示す各構成要素を組み付けてディスプレイ本体部５０Ａを上方に移動させた際に下方位置と上方位置にて傾斜する様子を説明する図である。
図８（Ａ）に示すように、スライダ部材７０Ａの先端近傍には、ディスプレイ本体部５０Ａの上方に形成された穴部５１Ａに嵌め込まれるピン７１Ａが形成されている。
ディスプレイ本体部５０Ａには、上方に穴部５１Ａが形成され、下方に突出部５２Ａが設けられている。
案内部材６４Ａには、下方には距離ＬＤだけ突出した湾曲部６５Ａが形成され、上方には距離ＬＵだけ突出した湾曲部６６Ａが形成されている。湾曲部６５Ａは下方位置において所望する傾斜角度に応じた形状に形成されており、湾曲部６６Ａは上方位置において所望する傾斜角度に応じた形状に形成されている。また図８（Ａ）及び（Ｂ）に示す例では、距離ＬＤ＞距離ＬＵに設定した例を示しているが、距離ＬＤ≦距離ＬＵに設定することも可能である。そして案内部材６４Ａは、図示省略するが、図２に示す格納部６０に相当する格納部おけるディスプレイ本体部５０Ａの側面に対向する面等に固定されている。
【００２７】
図８（Ｂ）に示すように、ディスプレイ本体部５０Ａは、穴部５１Ａに嵌め込まれたピン７１Ａにて回転可能に支持される。そして下端位置では突出部５２Ａが湾曲部６５Ａに達していないので、ディスプレイ本体部５０Ａは傾斜していない。なおディスプレイ本体部５０Ａは、突出部５２Ａを案内部材６４Ａの側に押しつける方向（図中、Ｆ方向）に付勢されている。
ディスプレイ本体部５０Ａを下端位置から上昇させて突出部５２Ａが湾曲部６５Ａに達すると、湾曲部６５Ａの形状に沿ってディスプレイ本体部５０Ａが傾斜する。この傾斜が、下方位置における傾斜となる。
そしてディスプレイ本体部５０Ａをさらに上昇させて突出部５２Ａが湾曲部６６Ａに達すると、湾曲部６６Ａの形状に沿ってディスプレイ本体部５０Ａが傾斜する。この傾斜が、上方位置における傾斜となる。
案内部材６４Ａの湾曲部６５Ａ、６６Ａの形状を変更することで、傾斜する位置、及び傾斜角度を容易に変更できるので、便利である。
なお上記の例では、案内部材６４の表面に沿って突出部５２Ａを移動させたが、案内部材６４Ａに溝を形成し、当該溝に沿って突出部５２Ａが移動するように構成してもよい。
【００２８】
以上、本実施の形態にて説明した乗物用シート１のディスプレイ装置４０では、１個の電動モータ８０にて、スライダ部材７０を上下に昇降させるだけで、ディスプレイ本体部５０を上下に昇降する昇降動作をさせることができるとともに、下方位置と上方位置のそれぞれの位置において傾斜角度が変わるチルト動作をさせることができる。
また、下方位置における傾斜角度範囲θ２のほうが、上方位置における傾斜角度範囲θ１よりも大きな角度範囲であり、視点位置が低い子供等に対してより快適な傾斜角度を設定することが容易である。
【００２９】
本発明の乗物用シート１は、本実施の形態で説明した外観、構成、構造、形状等に限定されず、本発明の要旨を変更しない範囲で種々の変更、追加、削除が可能である。
本実施の形態にて説明した乗物用シートは、例えば車両用のシートに限定されず、種々の乗物のシートに適用することが可能である。
また、ディスプレイ本体部５０の穴部５１と、スライダ部材７０のスライダ側ピン７１は、穴部とピンが逆であっても良い。
【符号の説明】
【００３０】
１        乗物用シート
１０      シートクッション部
２０      シートバック部
４０      ディスプレイ装置
５０      ディスプレイ本体部
５１      穴部
５２      下方傾斜用溝
５３      上方傾斜用溝
５４      切欠き部
６０      格納部
６１      格納側ピン
６２      支持体
６３      弾性部材
６４      補助支持部
７０      スライダ部材
７１      スライダ側ピン
７２      押圧凸部
７２Ａ    傾斜面
７３      逃げ溝
７４      スライダレール
７５      スライダ切欠き部
８０      電動モータ
【図１】
2012250654.tif 000003
【図２】
2012250654.tif 000004
【図３】
2012250654.tif 000005
【図４】
2012250654.tif 000006
【図５】
2012250654.tif 000007
【図６】
2012250654.tif 000008
【図７】
2012250654.tif 000009
【図８】
2012250654.tif 000010